(57)【要約】【課題】  簡単な操作で、迅速かつ確実にブラケットを支柱に固定でき、支柱に固定された後は、ブラケットの横方向と縦方向の両方の揺れに対して効果を有する支柱金具を提供する。【解決手段】 先端に、商品の陳列棚の支柱４０に差し込む係止部１２を形成したブラケット１０を構成する。そして、このブラケット１０の前方に後述のスペーサー２０の締結具２８を取り付けるための長孔１１を設ける。一方、前端に横ぶれ防止用のフラップ２３と上端にストッパー２４を形成したスペーサー２０を構成し、後方に締結具２８を取り付ける。上記スペーサー２０の締結具２８をブラケット１０の長孔１１に差し込んで、スペーサー２０をブラケット１０に前後移動可能に取り付けた。【選択図】図１
2005245873.tif 000002
【特許請求の範囲】
【請求項１】
陳列棚の支柱等に差し込むブラケットに取り付けるスペーサーであって、前端にフラップを形成すると共に、ブラケットに固定するための締結具を取り付けてなるスペーサー。
【請求項２】
上端にストッパーを形成したことを特徴とする請求項１記載のスペーサー。
【請求項３】
先端に、陳列棚の支柱等に差し込む係止部を形成すると共に、前方に長孔を設けたブラケットを構成する一方、前端にフラップを形成したスペーサーを構成し、このスペーサーに締結具を取り付け、
上記スペーサーの締結具をブラケットの長孔に締結して、スペーサーを前後移動可能に取り付けた支柱金具。
【請求項４】
上記スペーサーの上端にストッパーを形成したことを特徴とする請求項３記載の支柱金具。
【請求項５】
一端を上記ブラケットに固定し、他端を上記締結具に固定したバネを構成し、このバネでスペーサーを常時前方に付勢したことを特徴とする請求項３又は４記載の支柱金具。
【発明の詳細な説明】
【技術分野】
【０００１】
本発明は、商品の陳列棚の支柱等に差し込んで、その上に棚板を載せて商品を陳列するために使用する支柱金具に関するものである。
【背景技術】
【０００２】
従来より多くの店舗に使用されている陳列什器は、支柱に孔を開けた多孔式の支柱に２本のブラケットを差し込み、その上に棚板を載せて棚板とブラケットを固定していた。このブラケットは支柱の孔に差し込むだけなので、単独では横方向と縦方向にぐらつくため不安定であり、かつ下からの力で簡単に外れるものであった。
そのため特許文献１に示す棚用ブラケットの固定装置が提案された。この固定装置はブラケット上縁の係止片の前側に挿入片を備えた固定具を設け、この固定具を下端に設けた係止軸部を中心に回動させて、挿入片をブラケットの上縁と支柱の縦長孔の上端との間に嵌入させるものである。
【特許文献１】特開平６−５４７２０号
【０００３】
しかしながら、上記固定装置では、構成が複雑な上に操作がしにくい上に、ブラケットの横方向の揺れには効果がなく、かつ取り外しが簡単に行なえないという問題点があった。
またこれらの固定装置は、２枚使用してその上に棚板を載せて使用するものであり、単体で重量物を下げて固定することには向いていない。
【発明の開示】
【発明が解決しようとする課題】
【０００４】
本発明は上記の点に鑑みなされたものであり、簡単な操作で、迅速かつ確実にブラケットを支柱に固定でき、さらに固定が強固なため単体の使用でも陳列什器等を確実に固定できる。また、支柱に固定された後は、ブラケットの横方向と縦方向の両方の揺れに対して効果を有する支柱金具とそれに用いるスペーサーを提供するものである。
【課題を解決するための手段】
【０００５】
本発明の要旨とするところは、陳列棚の支柱等に差し込むブラケットに取り付けるスペーサーであって、前端にフラップを形成すると共に、ブラケットに固定するための締結具を取り付けてなるスペーサーにある。
【０００６】
また本発明の要旨とするところは、上記スペーサーの上端にストッパーを形成したことにある。
【０００７】
また本発明の要旨とするところは、先端に、陳列棚の支柱等に差し込む係止部を形成すると共に、前方に長孔を設けたブラケットを構成する一方、前端にフラップを形成したスペーサーを構成し、このスペーサーに締結具を取り付け、上記スペーサーの締結具をブラケットの長孔に締結して、スペーサーを前後移動可能に取り付けた支柱金具にある。
【０００８】
また本発明の要旨とするところは、上記スペーサーの上端にストッパーを形成したことにある。
【０００９】
また本発明の要旨とするところは、上記支柱金具において、一端を上記ブラケットに固定し他端を上記締結具に固定したバネを構成し、このバネでスペーサーを常時前方に付勢したことにある。
【発明の効果】
【００１０】
本発明は上記の如き構成であるため、ブラケットに取り付けるスペーサー及び支柱金具共に、簡単な構成と簡易な操作で迅速かつ確実にブラケットを支柱に取り付けたり又は取り外すことができる。支柱に固定された後は、ブラケットの横方向と縦方向の揺れとぶれを防ぎ、陳列什器、棚板等を確実、強固に保持して安定した商品陳列を行うことができる等の効果を奏する。
さらに取り付け状態が強固なため、ブラケットの単体の使用でも陳列什器等を確実に固定できるのである。
【発明を実施するための最良の形態】
【００１１】
本発明を実施するための最良の形態は、先端に、商品の陳列棚の支柱等に差し込む係止部を形成したブラケットを構成する。そして、このブラケットの前方に後述のスペーサーの締結具を取り付けるための長孔を設ける。一方、前端に横ぶれ防止用のフラップと上端にストッパーを形成しかつ後方に締結具を取り付けたスペーサーを構成する。
上記スペーサーの締結具をブラケットの長孔に差し込んで、スペーサーをブラケットに前後移動可能に取り付けた支柱金具である。
【実施例１】
【００１２】
図１は本発明の実施例１の斜視図、図２は同作動説明図、図３は同一部拡大側面図、図４は同作動説明図、図５は同一部拡大側面図、図６は同使用態様を示す斜視図、図７は同使用態様を示す斜視図、図８は同使用態様を示す斜視図、図９は本発明の実施例２の斜視図及び図１０は本発明の実施例３の斜視図である。
【００１３】
実施例１の支柱金具１の構成を図に基づいて説明する。
図において符号１は支柱金具であり、この支柱金具１は、ブラケット１０とスペーサー２０からなる
【００１４】
まずブラケット１０の構成を説明する。このブラケット１０は長尺の板材であり、その前方に後述のスペーサー２０の締結具２８を取り付けるための長孔１１が穿設されている。そして、前端には支柱４０の孔４１に係止するための係止部１２が２個設けられている。
【００１５】
次にスペーサー２０の構成を説明する。このスペーサー２０は、上記ブラケット１０を挿通できる間隔を有して固定した２枚のボード２１とこのボード２１の上端に形成したストッパー２４からなる。
【００１６】
ボード２１は長方形の板材からなり先端を直角に折曲してフラップ２３を構成している。このフラップ２３は支柱４０の表面に密着して、支柱金具１の横揺れ又は横ぶれ防止するのである。
また、ボード２１の中央部には孔２２を穿設し、ここに締結具であるボルト２８を前記ブラケット１０の長孔１１に通してナット２９で締めることで、ボード２１をブラケット１０に対して前後移動可能に固定するのである。
ボード２１上端のストッパー２４の先端部２５は、後述のように係止部１２が支柱４０の孔４１に係止された際に生じる係止部１２と孔４１の間隙に挿入して、この間隙を封鎖する。これによって、ブラケット１０は支柱４０に対して縦方向の揺れ又はぶれが防止されて、確実に支持されるのである。
【００１７】
本実施例では上記ボード２１は２枚設け、フラップ２３も各々のボード２１に構成した。しかし、これに限らずフラップ２３は一方のボード２１のみに取り付けても良い。またボード２１を１枚としてもよい。
【００１８】
なお、上記ブラケット１０、スペーサー２０等の材質は、金属、合成樹脂あるいは木材等の一定強度を有する公知の材料から任意に選択でき、またその大きさ形状も任意に決定できる。
【００１９】
上記のように構成した本実施例の作用を説明する。
図２および図３に示すように、ボルト２８をブラケット１０の長孔１１に挿通してナット２９で締めてスペーサー２０をブラケット１０に対して前後方向移動可能に固定する。
その後、ブラケット１０先端の係止部１２を支柱４０の孔４１に挿入してからブラケット１０を少し下げて、係止部１２の基部に構成した溝部１３を支柱４０に掛けて固定する。
その後、スペーサー２０を前方にスライドさせて、上端のストッパー２４の先端部２５を支柱４０の孔４１に挿入して係止部１２を上端から固定して支柱金具１の縦方向の揺れ又はぶれを防止する。
これと同時にフラップ２３は支柱４０の表面に密着して支柱金具１の横方向の揺れ又はぶれを防止するのである（図４及び図５参照）。
【００２０】
図６、図７及び図８は上記支柱金具１を支柱に取り付けて使用している状態を示すものである。
図６に示すものは、ボックス棚６１と一般的なスチール棚６２である、このうちボックス棚６１は１個の支柱金具１によって十分に支持されている。また、スチール棚６２は両端に支柱金具１を備えてその上に固定されている。
【００２１】
図７に示すものは、２個の支柱金具１によって大型サイドパネル６３を支柱４０に取り付けたものである。従来のブラケットでは支持力が小さかったため、このような固定方法はできなかった。これによってコーナー表示板、販促ＰＯＰなども支柱に安全に固定でき、商空間を大きく取ることができ、売り場の活性化と売上増加に寄与するのである。
【００２２】
図８に示すものは、２個の支柱金具１によって支柱４０に薄型什器６４を固定したものである。本実施例によればこのように重量物を確実に支柱４０に固定できる。また、販促用のビデオ機器、モニターなども支柱４０に簡単に取り付けることができる。
【００２３】
以上のように、本実施例によれば簡易な構成かつ容易な操作で、迅速かつ確実に支柱金具を支柱に取り付けたり又は取り外すことができ、支柱金具の横方向と縦方向の揺れ又はぶれを防ぎ、陳列什器、棚板等を確実、強固に保持して安定した商品陳列を行うことができる等の効果を奏する。
特に、本実施例は支柱に完全に固定できるため、重量に耐える材質を使用すれば支柱を活用して数十キログラムの陳列什器を取り付け固定することが可能となった。そのため什器の形状を薄くして、大量の商品を陳列でき、それによって店内のスペースも有効活用できるようになる。
また、本実施例を壁面に埋め込まれた支柱に用いた場合は、従来にない多種多様な什器あるいは棚板を取り付けることが可能となる。
【実施例２】
【００２４】
本発明の実施例２は図９に示すもので、ブラケット１０に一端を固定し、他端をボルト２８に固定したバネ３０を構成したものである。このバネ３０はスペーサー２０を常時前方に付勢するため、ブラケット１０の支柱４０の孔４１への挿入の際には、スペーサー２０を操作せずにブラケット１０を持って孔４１へと挿入すればよい。
このときストッパー２４は孔４１に挿入されずに支柱に当接して、バネ３０の力に抗して後退するが、係止部１２が孔４１に挿入してからブラケット１０が少し下がると、係止部１２の上端に間隙が生じる。そのためストッパー２４はバネ３０の弾発力によって前進し、上記間隙に進入してブラケット１０を固定するのである。
【実施例３】
【００２５】
本発明の実施例３は図１０に示すもので、従来のブラケット１９に取り付けることのできるスペーサー７０である。これによると、前端にフラップ７３を形成すると共に、ブラケット１９に固定するための締結具７８を取り付けてなる。
使用に際しては、支柱に係止されたブラケット１９の係止部１９ｂと支柱の孔との間隙（図示せず）に先端部７５を挿入してから、２枚のボード７１の間隙にブラケット１９を挿入し、その後ブラケット１９の下部の湾曲部１９ａに締結具７８を掛けて締結固定すればよい。
本実施例では、従来のブラケットに使用できるというメリットがあり、その効果は前述の実施例１と同様である。
【図面の簡単な説明】
【００２６】
【図１】本発明の実施例１の斜視図
【図２】本発明の実施例１の作動説明図
【図３】本発明の実施例１の一部拡大側面図
【図４】本発明の実施例１の作動説明図
【図５】本発明の実施例１の一部拡大側面図
【図６】本発明の実施例１の使用態様を示す斜視図
【図７】本発明の実施例１の使用態様を示す斜視図
【図８】本発明の実施例１の使用態様を示す斜視図
【図９】本発明の実施例２の斜視図
【図１０】本発明の実施例３の斜視図
【符号の説明】
【００２７】
１  支柱金具
１０  ブラケット
１１  長孔
１２  係止部
１３  溝部
２０  スペーサー
２１  ボード
２２  孔
２３  フラップ
２４  ストッパー
２５  先端部  
２８  締結具（ボルト）
４０  支柱
４１  孔
１９  ブラケット
７０  スペーサー
７１  ボード
７３  フラップ
７４  ストッパー
７５  先端部  
７８  締結具（ボルト）
【図１】
2005245873.tif 000003
【図２】
2005245873.tif 000004
【図３】
2005245873.tif 000005
【図４】
2005245873.tif 000006
【図５】
2005245873.tif 000007
【図６】
2005245873.tif 000008
【図７】
2005245873.tif 000009
【図８】
2005245873.tif 000010
【図９】
2005245873.tif 000011
【図１０】
2005245873.tif 000012